(57)【要約】      （修正有）【課題】初期化期間を減らしながらも初期化期間でスキャン電極とサスティン電極間の面放電を防止することができるプラズマディスプレイ装置及びその駆動方法を提供する。【解決手段】このプラズマディスプレイ装置はスキャン電極へリセットパルスを印加するスキャン電極駆動部と、 前記スキャン電極駆動部が印加する前記リセットパルスの下降終了時点を変化させるタイミングコントロール部とを含み、前記タイミングコントロール部は前記リセットパルスの上昇終了時点を変化させることを特徴とする。【選択図】図５
2006053564.tif 000002
【特許請求の範囲】
【請求項１】
スキャン電極を含むプラズマディスプレイパネルと、
前記スキャン電極にリセットパルスを印加するスキャン電極駆動部と、
前記スキャン電極駆動部が印加する前記リセットパルスの下降終了時点を変化させるタイミングコントロール部と、
を含むことを特徴とするプラズマディスプレイ装置。
【請求項２】
前記タイミングコントロール部は、
前記リセットパルスの上昇終了時点を変化させることを特徴とする、 請求項１記載のプラズマディスプレイ装置。
【請求項３】
前記タイミングコントロール部は、
前記リセットパルスの下降終了時点を少なくとも一つのサブフィールドで異に制御することを特徴とする、請求項１記載のプラズマディスプレイ装置。
【請求項４】
前記タイミングコントロール部は、
前記リセットパルスの上昇終了時点と前記リセットパルスの下降終了時点を少なくとも一つのサブフィールドで異に制御することを特徴とする、 請求項２記載のプラズマディスプレイ装置。
【請求項５】
前記スキャン電極駆動部は、
前記リセットパルスに含まれた下降ランプパルスの傾きを各サブフィールドで等しく維持することを特徴とする、請求項３記載のプラズマディスプレイ装置。
【請求項６】
前記スキャン電極駆動部は、
前記リセットパルスに含まれた上昇ランプパルスの傾きを各サブフィールドで等しく維持して、 前記リセットパルスに含まれた下降ランプパルスの傾きを各サブフィールドで等しく維持することを特徴とする、請求項４記載のプラズマディスプレイ装置。
【請求項７】
前記スキャン電極駆動部は、
前記下降終了時点で前記スキャン電極をフローティング状態になるようにすることを特徴とする、請求項１記載のプラズマディスプレイ装置。
【請求項８】
前記タイミングコントロール部は、
前記リセットパルスの前記上昇終了時点によって前記リセットパルスの前記下降終了時点を変化させることを特徴とする、請求項２記載のプラズマディスプレイ装置。
【請求項９】
前記タイミングコントロール部は、
少なくとも一つのサブフィールドで前記リセットパルスの前記上昇終了時点によって前記下降終了時点を変化させることを特徴とする、 請求項４記載のプラズマディスプレイ装置。
【請求項１０】
スキャン電極を含むプラズマディスプレイパネルと、
前記スキャン電極にリセットパルスを印加するスキャン電極駆動部と、
前記スキャン電極駆動部が印加する前記リセットパルスの下降終了時点を少なくとも一つのサブフィールドで異に変化させるタイミングコントロール部と、
を含むプラズマディスプレイ装置。
【請求項１１】
スキャン電極を含むプラズマディスプレイ装置の駆動方法において、
前記スキャン電極へのリセットパルスの印加を開始する段階と、
前記リセットパルスの下降終了時点を変化させる段階と、
前記スキャン電極へのリセットパルスの印加を終了させる段階と、
を含むことを特徴とするプラズマディスプレイ装置の駆動方法。
【請求項１２】
前記リセットパルスの下降終了時点を変化させる段階の前に、前記リセットパルスの上昇終了時点を変化させる段階をさらに含むことを特徴とする、 請求項１１記載のプラズマディスプレイ装置の駆動方法。
【請求項１３】
前記リセットパルスの下降終了時点は少なくとも一つのサブフィールドで異に制御されることを特徴とする、請求項１１記載のプラズマディスプレイ装置の駆動方法。
【請求項１４】
前記リセットパルスの上昇終了時点と前記リセットパルスの下降終了時点を少なくとも一つのサブフィールドで異に制御することを特徴とする、 請求項１２記載のプラズマディスプレイ装置の駆動方法。
【請求項１５】
前記リセットパルスに含まれた下降ランプパルスの傾きを各サブフィールドで等しく維持することを特徴とする、請求項１３記載のプラズマディスプレイ装置の駆動方法。
【請求項１６】
前記リセットパルスに含まれた上昇ランプパルスの傾きを各サブフィールドで等しく維持して、 前記リセットパルスに含まれた下降ランプパルスの傾きを各サブフィールドで等しく維持することを特徴とする、 請求項１４記載のプラズマディスプレイ装置の駆動方法。
【請求項１７】
前記下降終了時点で前記スキャン電極はフローティング状態になることを特徴とする、 請求項１１記載のプラズマディスプレイ装置の駆動方法。
【請求項１８】
前記リセットパルスの前記上昇終了時点によって前記リセットパルスの前記下降終了時点を変化させることを特徴とする、請求項１２記載のプラズマディスプレイ装置の駆動方法。
【請求項１９】
前記少なくとも一つのサブフィールドで前記リセットパルスの前記上昇終了時点によって前記下降終了時点を変化させることを特徴とする、請求項１４記載のプラズマディスプレイ装置の駆動方法。
【請求項２０】
より低階調のサブフィールドほど、前記リセットパルスの前記上昇終了時点と前記リセットパルスの下降終了時点を早くすることを特徴とする、請求項１９記載のプラズマディスプレイ装置の駆動方法。
【発明の詳細な説明】
【技術分野】
【０００１】
本発明はプラズマディスプレイ装置及びプラズマディスプレイ装置の駆動方法に関し、 より詳しくはコントラスト(Ｃｏｎｔｒａｓｔ)に関するプラズマディスプレイ装置及びプラズマディスプレイ装置の駆動方法に関する。
【背景技術】
【０００２】
プラズマディスプレイ装置は Ｈｅ＋Ｘｅ、 Ｎｅ＋Ｘｅ、 Ｈｅ＋Ｘｅ＋Ｎｅなどの不活性混合ガスが放電する時発生する紫外線が蛍光体を発光させることで画像を表示するようになる。 このようなプラズマディスプレイ装置は薄膜化と大型化が容易いだけでなく最近の技術開発に負って画質が向上している。
【０００３】
図1は一般的なプラズマディスプレイ装置の駆動パルスの波形図である。 図1に示すように、 一般的なプラズマディスプレイ装置は全画面を初期化させるためのセットアップ期間及びセッダウン期間、 セルを選択するためのアドレス期間及び選択されたセルの放電を維持させるためのサステイン期間で分けて駆動される。 この時、 Ｙはスキャン電極を示し、 Ｚはサステイン電極を示し、Ｘはアドレス電極を示す。
【０００４】
セットアップ期間にはすべてのスキャン電極(Ｙ)に上昇ランプパルス(Ｒａｍｐ−ｕｐ)が同時に印加される。 この上昇ランプパルス(Ｒａｍｐ−ｕｐ)によって全画面のセル内には微弱な放電形態であるセットアップ放電が起きるようになってセル内に壁電荷が積もる。セッダウン期間には上昇ランプパルス(Ｒａｍｐ−ｕｐ)のピーク電圧より低い正極性電圧から落ちる下降ランプパルス(Ｒａｍｐ−ｄｏｗｎ)がスキャン電極(Ｙ)に同時に印加される。 下降ランプパルス(Ｒａｍｐ−ｄｏｗｎ)はセル内に微弱な消去放電を起こすことでセットアップ放電によって生成された壁電荷及び空間電荷中不必要な電荷を消去させて全画面のセル内に壁電荷を均一に残留させるようになる。
【０００５】
アドレス期間にはスキャンパルス(ｓｃａｎ)がスキャン電極(Ｙ)に順に印加されて一つのスキャン電極に印加されるスキャンパルスと同期してアドレス電極(Ｘ)に正極性のデータパルス(ｄａｔａ)が印加される。 スキャンパルス(ｓｃａｎ)とデータパルス(ｄａｔａ)の電圧差とセットアップ期間及びセッダウン期間に生成された壁電圧が加わりながらデータパルス(ｄａｔａ)が印加されるセル内にはアドレス放電が発生される。
【０００６】
一方、 セッダウン期間とアドレス期間の間にサステイン電極(Ｚ)にはサステイン電圧レベル(Ｖｓ)の正極性直流電圧が供給される。
【０００７】
サステイン期間にはスキャン電極(Ｙ)とサステイン電極(Ｚ)に交番的にサステインパルス(ｓｕｓ)が印加される。 そして、アドレス放電によって選択されたセルはセル内の壁電圧とサステインパルス(ｓｕｓ)が加わりながら毎サステインパルス(ｓｕｓ)が印加される度にスキャン電極(Ｙ)とサステイン電極(Ｚ)の間で面放電形態のサステイン放電が起きる。
【０００８】
最後に、サステイン放電が完了した後にはパルス幅が小さな消去ランプ波形(ｅｒａｓｅ)がサステイン電極(Ｚ)に供給されてセル内の壁電荷を消去させるようになる。
【０００９】
ところで従来のプラズマディスプレイ装置はセットアップ期間及びセッダウン期間に発生する光によってコントラスト(Ｃｏｎｔｒａｓｔ)が低下される問題点を発生させる。
【００１０】
これを詳しく説明すれば、セットアップ期間に供給される上昇ランプパルス(Ｒａｍｐ−ｕｐ)によってスキャン電極(Ｙ)とサステイン電極(Ｚ)の間に、そしてスキャン電極(Ｙ)とアドレス電極(Ｘ)の間に放電が起きる。 特に、 上昇ランプパルス(Ｒａｍｐ−ｕｐ)によってスキャン電極(Ｙ)とサステイン電極(Ｚ) の間に、 そしてスキャン電極(Ｙ)とアドレス電極(Ｘ)の間に起きる放電はセットアップ期間の後半部(Ｔｄ)に集中的に起きる。
【００１１】
その結果、 図２のようにスキャン電極(Ｙ)に負極性の壁電荷が形成されてサステイン電極(Ｚ)に正極性の壁電荷が形成される。 ここで、 スキャン電極(Ｙ)とサステイン電極(Ｚ) の間で起きる放電がスキャン電極(Ｙ)とアドレス電極(Ｘ)の間で起きる放電よりさらに低い電圧で起きるということが知られている。 スキャン電極(Ｙ)とサステイン電極(Ｚ)の間で起きる放電は図1に示すようにセットアップ期間の後半部(Ｔｄ)にスキャン電極(Ｙ)にはセットアップパルスが印加されてサステイン電極(Ｚ)にはグラウンドレベルの電圧が印加されてスキャン電極(Ｙ)とサステイン電極(Ｚ)の間の電圧の差が大きくなるから起きる。
【００１２】
スキャン電極(Ｙ)とサステイン電極(Ｚ)は上部基板に形成されるのでスキャン電極(Ｙ)とサステイン電極(Ｚ)の間で起きる放電による光はスキャン電極(Ｙ)とアドレス電極(Ｘ) の間で起きる放電による光より観察者に到逹しやすい。 したがって観察者の方に進行する光の量はスキャン電極(Ｙ)とサステイン電極(Ｚ)の間で起きる放電による光の量がスキャン電極(Ｙ)とアドレス電極(Ｘ)の間で起きる放電による光の量より大きい。 これによってセットアップ期間及びセッダウン期間に光の放出量が大きくなるのでコントラスト特性が低下される。
【００１３】
このようなコントラスト特性の低下を防止するため図3に示した従来のプラズマディスプレイ装置の駆動波形が提案された。
【００１４】
図３は従来のプラズマディスプレイ装置の駆動方法を示す波形図で、 図４は従来のプラズマディスプレイ装置に利用されるエネルギー回収回路を示すのである。
【００１５】
図３に示すように、 従来のプラズマディスプレイ装置は全画面を初期化させるための初期化期間、セルを選択するためのアドレス期間、選択されたセルの放電を維持させるためのサステイン期間で分けて駆動される。
【００１６】
初期化期間はセットアップ期間及びセッダウン期間からなる。セットアップ期間には、すべてのスキャン電極(Ｙ)に上昇ランプパルス(Ｒａｍｐ−ｕｐ)が同時に印加される。
【００１７】
上昇ランプパルス(Ｒａｍｐ−ｕｐ)によって全画面のセル内には微弱な放電が起きるようになってセル内に壁電荷が形成される。この時、セットアップ期間の前半部にサステイン電極(Ｚ)には基底電圧が印加される。 また、セットアップ期間の後半部(Ｔｄ)にサステイン電極(Ｚ)はフローティング状態(ｆｌｏａｔｉｎｇ  ｓｔａｔｅ)になって、 セットアップランプパルス(Ｒａｍｐ−ｕｐ)がピーク電圧(Ｖ２)に到逹するまで(Ｔｄの時間) サステイン電極(Ｙ)のフローティング状態が維持される。サステイン電極(Ｚ)がフローティング状態になれば、 サステイン電極(Ｚ)には所定の電圧が誘導される。 すなわち、 サステイン電極(Ｚ)には上昇ランプパルス(Ｒａｍｐ−ｕｐ)の電圧によって所定のランプ電圧が誘導される。
【００１８】
この時、サステイン電極(Ｚ)は図４に示すエネルギー回収回路によってフローティング状態になる。パネルキャパシター(Ｃｐ)は放電セルを等価的に示すのである。セットアップ期間の前半部には第４スィッチ(Ｓ４)がターン-オンされてサステイン電極(Ｚ)に基底電位(ＧＮＤ)が印加される。 セットアップ期間の後半部(Ｔｄ)には第 ４スィッチ(Ｓ４)がターン-オフされる。この時、第1 ないし第3 スィッチ(Ｓ１、Ｓ２、Ｓ３)もターン-オフ状態を維持する。これによってサステイン電極(Ｚ)はフローティング状態になる。
【００１９】
セッダウン期間には第3 スィッチ(Ｓ３)がターン-オンされてサステイン電圧レベル(Ｖｓ)がサステイン電極(Ｚ)に印加される。
【００２０】
このようにサステイン電極(Ｚ)がフローティング状態になればセットアップ期間の後半部(Ｔｄ)にはスキャン電極(Ｙ)とサステイン電極(Ｚ)の間に放電が起きないで、スキャン電極(Ｙ)とアドレス電極(Ｘ)の間にだけ放電が起きる。すなわち、セットアップ期間の後半部(Ｔｄ)にサステイン電極(Ｚ)がフローティング状態になって所定のランプ電圧が誘導されることでスキャン電極(Ｙ)とサステイン電極(Ｚ)の間の電圧の差が減ってスキャン電極(Ｙ)とサステイン電極(Ｚ)の間で起きる面放電が防止される。よって、初期化期間の輝度が低くなるようになって、コントラストが向上する。
【００２１】
しかし、 従来のプラズマディスプレイ装置はセットアップ期間にスキャン電極(Ｙ)とサステイン電極(Ｚ)の間で発生する面放電を防止するためにサステイン電極(Ｚ)をフローティング状態になるようにする期間(Ｔｄ)を必ず要する。したがって従来のプラズマディスプレイ装置及び従来の駆動方法は初期化期間を減らすのに限界がある。
【発明の開示】
【発明が解決しようとする課題】
【００２２】
本発明の目的は、初期化期間を減らしながらも初期化期間でスキャン電極とサステイン電極の間の面放電を防止することができるプラズマディスプレイ装置及びその駆動方法を提供することにある。
【課題を解決するための手段】
【００２３】
本発明のプラズマディスプレイ装置は、スキャン電極を含むプラズマディスプレイパネル、 前記スキャン電極にリセットパルスを印加するスキャン電極駆動部及び前記スキャン電極駆動部が印加する前記リセットパルスの下降終了時点を変化させるタイミングコントロール部を含む。
【００２４】
また本発明のプラズマディスプレイ装置は、スキャン電極を含むプラズマディスプレイパネル、 前記スキャン電極にリセットパルスを印加するスキャン電極駆動部及び前記スキャン電極駆動部が印加する前記リセットパルスの下降終了時点を少なくとも一つのサブフィールドで異に変化させるタイミングコントロール部を含む。
【００２５】
本発明のプラズマディスプレイ装置の駆動方法は、前記スキャン電極へのリセットパルスの印加を開始する段階と、前記リセットパルスの下降終了時点を変化させる段階と、前記スキャン電極へのリセットパルスの印加を終了する段階を含む。
【００２６】
前記タイミングコントロール部は前記リセットパルスの上昇終了時点を変化させることを特徴とする。
【００２７】
前記タイミングコントロール部は前記リセットパルスの下降終了時点を少なくとも一つのサブフィールドで異に制御することを特徴とする。
【００２８】
前記タイミングコントロール部は前記リセットパルスの上昇終了時点と前記リセットパルスの下降終了時点を少なくとも一つのサブフィールドで異に制御することを特徴とする。
【００２９】
前記スキャン電極駆動部は前記リセットパルスに含まれた下降ランプパルスの傾きを各サブフィールドで等しく維持することを特徴とする。
【００３０】
前記スキャン電極駆動部は前記リセットパルスに含まれた上昇ランプパルスの傾きを各サブフィールドで等しく維持して、 前記リセットパルスに含まれた下降ランプパルスの傾きを各サブフィールドで等しく維持することを特徴とする。
【００３１】
スキャン電極駆動部は前記下降終了時点で前記スキャン電極をフローティング状態になるようにすることを特徴とする。
【００３２】
前記タイミングコントロール部は前記リセットパルスの前記上昇終了時点によって前記リセットパルスの前記下降終了時点を変化させることを特徴とする。
【００３３】
前記タイミングコントロール部は少なくとも一つのサブフィールドで前記リセットパルスの前記上昇終了時点によって前記下降終了時点を変化させることを特徴とする。
【００３４】
本発明のプラズマディスプレイ装置の駆動方法は前記スキャン電極へのリセットパルスの印加を開始する段階と、 前記リセットパルスの下降終了時点を変化させる段階と、前記スキャン電極へのリセットパルスの印加を終了する段階を含む。
【００３５】
前記リセットパルスの下降終了時点を変化させる段階以前に前記リセットパルスの上昇終了時点を変化させる段階をさらに含むことを特徴とする。
【００３６】
前記リセットパルスの下降終了時点は少なくとも一つのサブフィールドで異に制御されることを特徴とする。
【００３７】
前記リセットパルスの上昇終了時点と前記リセットパルスの下降終了時点を少なくとも一つのサブフィールドで異に制御することを特徴とする。
【００３８】
前記リセットパルスに含まれた下降ランプパルスの傾きを各サブフィールドで等しく維持することを特徴とする。
【００３９】
前記リセットパルスに含まれた上昇ランプパルスの傾きを各サブフィールドで等しく維持して、 前記リセットパルスに含まれた下降ランプパルスの傾きを各サブフィールドで等しく維持することを特徴とする。
【００４０】
前記下降終了時点で前記スキャン電極はフローティング状態になることを特徴とする。
【００４１】
前記リセットパルスの前記上昇終了時点によって前記リセットパルスの前記下降終了時点が変化されることを特徴とする。
【００４２】
前記少なくとも一つのサブフィールドで前記リセットパルスの前記上昇終了時点によって前記下降終了時点が変化されることを特徴とする。
【００４３】
低階調サブフィールドであればあるほど前記リセットパルスの前記上昇終了時点と前記リセットパルスの下降終了時点を早くすることを特徴とする。
【発明の効果】
【００４４】
本発明によるプラズマディスプレイ装置及び駆動方法はコントラストを改善しながらも駆動時間を減らすことができる。
【発明を実施するための最良の形態】
【００４５】
以下、本発明による具体的な実施形態を添付された図面を参照して説明する。
【００４６】
図５は本発明によるプラズマディスプレイ装置のブロック構成図である。 図５に示すように、 本発明によるプラズマディスプレイ装置はプラズマディスプレイパネル５１０、 スキャン電極駆動部５２０及びタイミングコントロール部５３０を含む。
【００４７】
プラズマディスプレイパネル５１０はスキャン電極(Ｙ)、 サステイン電極(Ｚ) 及びアドレス電極(Ｘ)を含む。
【００４８】
スキャン電極駆動部５２０は、スキャン電極(Ｙ)にリセットパルスを印加してプラズマディスプレイパネル５１０を構成する全体セル内部に均一な壁電荷を形成して、 スキャンパルスを印加してサステイン放電を起こすセルを選択して、サステインパルスを印加して選択されたセルでサステイン放電を起こす。 この時リセットパルスは上昇ランプパルスと下降リセットパルスからなるのが望ましい。
【００４９】
タイミングコントロール部５３０は、スキャン電極駆動部が印加するリセットパルスの下降終了時点を変化させる。 タイミングコントロール部５３０は、リセットパルスの下降終了時点を変化させることでスキャン電極(Ｙ)とサステイン電極(Ｚ)の間で起きる放電量を調節することができる。
【００５０】
またタイミングコントロール部５３０は、リセットパルスの下降終了時点を少なくとも一つのサブフィールドで異に変化させることができる。
【００５１】
またタイミングコントロール部５３０は、リセットパルスの下降終了時点を変化させるだけでなくリセットパルスの上昇終了時点を変化させることができることで、スキャン電極(Ｙ)とサステイン電極(Ｚ)の間で起きる放電量をより細密に制御することができる。
【００５２】
またタイミングコントロール部５３０は、リセットパルスの上昇終了時点及び下降終了時点を少なくとも一つのサブフィールドで異に変化させることができる。
【００５３】
またタイミングコントロール部５３０は、リセットパルスの上昇終了時点によってリセットパルスの下降終了時点も変化させる。 望ましくはタイミングコントロール部５３０は、リセットパルスの上昇終了時点が早ければリセットパルスの前記下降終了時点も早くする。
【００５４】
またタイミングコントロール部５３０は、少なくとも一つのサブフィールドでリセットパルスの上昇終了時点によってリセットパルスの下降終了時点を変化させる。 望ましくはタイミングコントロール部５３０は、リセットパルスの上昇終了時点を早くすれば下降終了時点も早くする。 このようにタイミングコントロール部５３０が上昇終了時点によって下降終了時点を調節することは、以後の実施形態を通じて説明される。 
【００５５】
この時、スキャン電極駆動部５２０は、リセットパルスの上昇終了時点または下降終了時点が変わっても上昇ランプパルスの勾配または下降ランプパルスの傾きを各サブフィールドで等しく維持する。すなわち、 スキャン電極駆動部５２０は、決まった傾きに上昇する上昇ランプパルスを印加している途中、タイミングコントロール部５３０の制御による上昇終了時点で下降ランプパルスを印加してリセットパルスの上昇電圧レベルを調節する。
【００５６】
また、 スキャン電極駆動部５２０は、決まった傾きに降りる下降ランプパルスを印加している途中、タイミングコントロール部５３０の制御による下降終了時点でスキャン電極(Ｙ)をフローティング状態になるようにしてリセットパルスの下降電圧レベルを調節する。 スキャン電極(Ｙ)のフローティング状態に対する説明は以後の実施形態で詳しく説明する。
【００５７】
図面番号 540と図面番号 550はぞれぞれアドレス電極駆動部５４０とサステイン電極駆動部５５０である。 アドレス電極駆動部５４０は、スキャン電極駆動部５２０が一つのスキャン電極に印加するスキャンパルスに同期して該当のアドレスパルスをアドレス電極(Ｘ)に印加する。 サステイン電極駆動部５５０は、リセットパルスを成す下降ランプパルスとスキャンパルスがスキャン電極(Ｙ)に印加される時正極性直流電圧をサステイン電極(Ｚ)に印加し、また、スキャン電極(Ｙ)に印加されるサステインパルスと交番されるサステインパルスをサステイン電極(Ｚ)に印加する。
【００５８】
次に図面を参照して本発明のプラズマディスプレイ装置に対する駆動方法の実施形態を詳しく説明する。
【００５９】
図６は本発明によるプラズマディスプレイ装置の駆動方法の手順図である。
【００６０】
本発明のプラズマディスプレイ装置に対する駆動方法では、先ず、スキャン電極へのリセットパルスの印加を開始する(Ｓ６１０)。 リセットパルスが上昇ランプパルスと下降ランプパルスで成り立つ場合、所定傾きを持った上昇ランプパルスがスキャン電極(Ｙ)に先に印加されて引き継いで下降ランプパルスがスキャン電極(Ｙ)に印加される。
【００６１】
引き継いでタイミングコントロール部５３０によってリセットパルスの下降終了時点が変化される(Ｓ６２０)。 これによってスキャン電極駆動部５２０は下降終了時点に下降するリセットパルスの印加を停止してリセットパルスの印加を終わらせる(Ｓ６３０)。
【００６２】
このような過程について、次の4実施形態を通じてより詳しく説明する。
<実施形態1>
図７は本発明の第1 実施形態によるプラズマディスプレイ装置の駆動方法を示す波形図である。 図７に示すように本発明の第1 実施形態によるプラズマディスプレイ装置の駆動方法はタイミングコントロール部５３０がリセットパルスの下降終了時点を変化させてセッダウン期間を変化させる。
【００６３】
すなわち、 タイミングコントロール部５３０の下降終了時点の制御によってスキャン電極駆動部５２０がスキャン電極(Ｙ)に印加するランプ下降パルスの最低電圧が第4 電圧(Ｖ４)から第3 電圧(Ｖ３)になれば、スキャン電極(Ｙ)とサステイン電極(Ｚ)との電圧の差が減る。 これによってスキャン電極(Ｙ)とサステイン電極(Ｚ)の間で発生する放電量が減って光の量も減ってコントラストを向上させることができる。 またランプ下降パルスの最低電圧が第4 電圧(Ｖ４)から第3 電圧(Ｖ３)になれば、Ｔｓで示すように初期化期間が減る余地が生ずるので全体的な駆動時間を減らすことができる。
【００６４】
この時、 タイミングコントロール部５３０は、制御されたリセットパルスの下降終了時点でスキャン電極駆動部５２０でフローティング制御信号を出力する。 これによってスキャン電極駆動部５２０はスキャン電極(Ｙ)がフローティング状態になるようにする。      
【００６５】
したがってスキャン電極(Ｙ)ではサステイン電極(Ｚ)に印加された正極性直流電圧(Ｖｄｃ)によって第3 電圧(Ｖ３)のような直流電圧が誘導される。
【００６６】
この時スキャン電極駆動部５２０は、下降終了時点が変わっても下降ランプパルスの傾きを等しく維持する。 すなわち、 スキャン電極駆動部５２０は、決まった傾きで降りる下降ランプパルスを印加している途中、タイミングコントロール部５３０の制御による下降終了時点でスキャン電極(Ｙ)をフローティング状態になるようにしてリセットパルスの下降電圧レベルを調節する。
<実施形態2>
図８は本発明の第2 実施形態によるプラズマディスプレイ装置の駆動方法を示す波形図である。 図８の上部には本発明と比べるための従来技術の波形を図示し、下部には本発明の第2 実施形態による駆動方法の波形を図示してある。
【００６７】
図８の下端に示すように、本発明の第2 実施形態よる駆動方法はタイミングコントロール部５３０によってリセットパルスの下降終了時点が変化されるだけでなくリセットパルスの上昇終了時点も変化されることができる。
【００６８】
このようなリセットパルスの上昇終了時点と下降終了時点の変化を通じてスキャン電極(Ｙ)とサステイン電極(Ｚ)の間で起きる放電量をより細密に制御することができる。 リセットパルスの下降終了時点の変化は前の第1 実施形態と等しいのでその詳細な説明は略する。
【００６９】
この時、 ランプダウンパルスの下降終了時点の直流電圧は、前の第1 実施形態で説明したようにスキャン電極(Ｙ)がフローティング状態になることで形成される。
【００７０】
図８の上部に示すように、従来のプラズマディスプレイ装置は、セットアップ期間の後半部(Ｔｄ)にサステイン電極(Ｚ)をフローティング状態になるようにする。 フローティング状態にならなかったらセットアップ期間の後半部(Ｔｄ)でスキャン電極(Ｙ)とサステイン電極(Ｚ)の間の電圧の差が面放電が起きるほどに大きくなる。
【００７１】
セットアップ期間の後半部(Ｔｄ)でサステイン電極(Ｚ)がフローティング状態になればスキャン電極(Ｙ)とサステイン電極(Ｚ) の間の電圧の差はほとんど０Ｖに近くなりながらスキャン電極(Ｙ)とサステイン電極(Ｚ)の間に発生する放電が防止される。 そして全体画面のセル内部に十分な壁電荷を積むための過程はセットアップ期間の前半部にほとんど成り立つ。
【００７２】
したがってｔ０時点でセッダウン期間が始まれば全体画面のセル内部に十分な壁電荷を積みながらもスキャン電極(Ｙ)とサステイン電極(Ｚ)の間の電圧の差が面放電が起きるほどに大きくなることを阻むことができる。 すなわち、タイミングコントロール部５３０が適正タイミングでリセットパルスの上昇終了時点を変化させることで全体セル内に十分な電荷を供給しながらもスキャン電極(Ｙ)とサステイン電極(Ｚ)の間の放電を防止することができる。
【００７３】
この時タイミングコントロール部５３０は、リセットパルスの上昇終了時点によって下降終了時点を調節することもできる。 すなわち、 タイミングコントロール部５３０がリセットパルスの上昇終了時点を延ばしてリセットパルスの電圧レベルを高めたらセル内部には十分な壁電荷が積もる。 したがってタイミングコントロール部５３０は下降終了時点も延ばして過度な壁電荷を消去させることができる。 反対にタイミングコントロール部５３０がリセットパルスの上昇終了時点を早くしてリセットパルスの電圧レベルを低めたらセル内部には適当な壁電荷が積もる。 したがってタイミングコントロール部５３０は下降終了時点も早くしてランプ下降パルスの電圧レベルがあまり低くないようにする。
【００７４】
この時、スキャン電極駆動部５２０は、リセットパルスの上昇終了時点と下降終了時点が変わっても上昇ランプパルスの傾きを等しく維持して下降ランプパルスの傾きを等しく維持する。 すなわち、 スキャン電極駆動部５２０は、決まった傾きに上昇する上昇ランプパルスを印加している途中、タイミングコントロール部５３０の制御による上昇終了時点で下降ランプパルスを印加してリセットパルスの上昇電圧レベルを調節する。
【００７５】
また、 スキャン電極駆動部５２０は、決まった傾きに降りる下降ランプパルスを印加している途中、タイミングコントロール部５３０の制御による下降終了時点でスキャン電極(Ｙ)をフローティング状態になるようにしてリセットパルスの下降電圧レベルを調節する。
【００７６】
これによってスキャン電極(Ｙ)とサステイン電極(Ｚ)の間の放電量を最小化することができてコントラストを向上させることができる。 また初期化期間が減る余地が生ずるので全体的な駆動時間を減らすことができる。
<実施形態3>
図９は本発明の第3 実施形態によるプラズマディスプレイ装置の駆動方法を示す波形図である。図９に示すように本発明の第3 実施形態によるプラズマディスプレイ装置の駆動方法はタイミングコントロール部５３０がリセットパルスの下降終了時点を少なくとも一つのサブフィールドで異に制御する。
【００７７】
すなわち、サブフィールドはそれぞれ互いに異なるサステインパルス(ｓｕｓｔａｉｎ  ｐｕｌｓｅ)で構成されているから、サステイン期間後の壁電荷分布状態は毎サブフィールドごとに違う。 したがって、すべてのサブフィールドでリセットパルスの下降終了時点が等しいよりはむしろ、各サブフィールドごとにリセットパルスの下降終了時点が適切に変化されることが效果的である。
【００７８】
この時、ランプダウンパルスの下降終了時点の直流電圧は前の第1 実施形態で説明したようにスキャン電極(Ｙ)がフローティング状態になることで形成される。
【００７９】
またスキャン電極駆動部５２０はリセットパルスの下降終了時点が変わっても下降ランプパルスの傾きは等しくする。
【００８０】
これによってスキャン電極(Ｙ)とサステイン電極(Ｚ)の間の放電量をサブフィールドごとに最小化することができてコントラストを向上することができる。 また初期化期間が減る余地が生ずるので全体的な駆動時間を減らすことができる。
<実施形態4>
図10は本発明の第4 実施形態によるプラズマディスプレイ装置の駆動方法を示す波形図である。 図10に示すように、 本発明の第4 実施形態はタイミングコントロール部５３０がリセットパルスの上昇終了時点と下降終了時点を少なくとも一つのサブフィールドで異に制御する。
【００８１】
特に、 タイミングコントロール部５３０は、各サブフィールドで印加されるリセットパルスの上昇終了時点によって下降終了時点を調節することもできる。 すなわち、タイミングコントロール部５３０が特定サブフィールドでリセットパルスの上昇終了時点を延ばしてリセットパルスの電圧レベルを高めたらセル内部には十分な壁電荷が積もる。 したがってタイミングコントロール部５３０は特定サブフィールドでリセットパルスの下降終了時点も延ばして過度な壁電荷を消去させることができる。
【００８２】
反対にタイミングコントロール部５３０が特定サブフィールドでリセットパルスの上昇終了時点を早くしてリセットパルスの電圧レベルを低めたらセル内部には適当な壁電荷が積もる。 したがって、タイミングコントロール部５３０は、特定サブフィールドで下降終了時点も早くして、ランプ下降パルスの電圧レベルがあまり低くならないように制御する。
【００８３】
特に、 サステインパルスの個数が少ない低階調サブフィールドが高階調でよりサステイン放電の影響が小さいから、低階調サブフィールドであればあるほどリセットパルスの上昇終了時点と下降終了時点を早くする。
【００８４】
この時、 ランプダウンパルスの下降終了時点の直流電圧は前の第1 実施形態で説明したようにスキャン電極(Ｙ)がフローティング状態になることで形成される。
【００８５】
またスキャン電極駆動部５２０はリセットパルスの上昇終了時点と下降終了時点が変わっても上昇ランプパルスの傾きを等しく維持して下降ランプパルスの傾きを等しく維持する。
【００８６】
これによってスキャン電極(Ｙ)とサステイン電極(Ｚ)の間の放電量をサブフィールドごとに最小化することができてコントラストを進めることができる。 また初期化期間が減る余地が生ずるので全体的な駆動時間を減らすことができる。
【図面の簡単な説明】
【００８７】
【図１】一般的なプラズマディスプレイ装置の駆動パルスの波形図。
【図２】図1のセットアップ期間とセッダウン期間直後にセル内に積もる壁電荷を図式的に示す図。
【図３】従来のプラズマディスプレイ装置の駆動方法を示す波形図。
【図４】従来のプラズマディスプレイ装置に利用されるエネルギー回収回路を示す図。
【図５】本発明によるプラズマディスプレイ装置のブロック構成図。
【図６】本発明によるプラズマディスプレイ装置の駆動方法の手順図。
【図７】本発明の第1 実施形態によるプラズマディスプレイ装置の駆動方法を示す波形図。
【図８】本発明の第2 実施形態によるプラズマディスプレイ装置の駆動方法を示す波形図。
【図９】本発明の第3 実施形態によるプラズマディスプレイ装置の駆動方法を示す波形図。
【図１０】本発明の第4 実施形態によるプラズマディスプレイ装置の駆動方法を示す波形図である。
【図１】
2006053564.tif 000003
【図２】
2006053564.tif 000004
【図３】
2006053564.tif 000005
【図４】
2006053564.tif 000006
【図５】
2006053564.tif 000007
【図６】
2006053564.tif 000008
【図７】
2006053564.tif 000009
【図８】
2006053564.tif 000010
【図９】
2006053564.tif 000011
【図１０】
2006053564.tif 000012